(57)【要約】【課題】付属部品取付構造において、釣り動作を阻害することなく付属部品を電動リールに取り付けできるようにする。【解決手段】釣り情報表示装置を電動リール１００に取り付けるには、まず、取付アダプタ７０の挟持部７０ｂをリールコネクタ１９の外周側に挿通し、コードコネクタ５４をリールコネクタ１９に接続することによって、挟持部７０ｂをコードコネクタ５４と電動リール１００とで挟持する。そして、連結部７０ｃの本体部固定部７０ｄを貫通孔７０ｆを貫通させ、連結部７０ｃの先端部に形成された雄ねじ部に、本体部７０ａの下側から取り付けられた袋ナット７５の雌ねじ部７５ａを螺合させ、連結部７０ｃを本体部７０ａに装着固定することによって、釣り情報表示装置を電動リール１００に取り付けている。【選択図】図９
2012231692.tif 000002
【特許請求の範囲】
【請求項１】
電動リールの付属部品を前記電動リールに取り付ける付属部品取付構造であって、
一端がバッテリに接続されるコードの他端に設けられたコードコネクタと、
前記電動リールに設けられ、前記コードコネクタが着脱可能に接続されるリールコネクタと、
本体部と、前記本体部に設けられ前記コードコネクタと前記リールコネクタとの間に挿通され前記コードコネクタを前記リールコネクタに接続したときに挟持される挟持部と、前記本体部に設けられ前記付属部品が固定される付属部品固定部とを有する固定部と、
を備えた付属部品取付構造。
【請求項２】
前記本体部は、板状部材により形成されており、
前記挟持部は、前記本体部を貫通する貫通孔である、請求項１に記載の付属部品取付構造。
【請求項３】
前記固定部は、前記本体部に設けられ１又は複数の別の付属部品が固定される１又は複数の別の付属部品固定部をさらに有する、請求項１又は２に記載の付属部品取付構造。
【請求項４】
前記付属部品は、釣りに関する情報を表示する表示装置である、請求項１から３のいずれか１項に記載の付属部品取付構造。
【請求項５】
前記付属部品は、小型の前記バッテリである、請求項１から３のいずれか１項に記載の付属部品取付構造。
【請求項６】
前記別の付属部品は、釣りに関する情報を表示する表示装置である、請求項３から５のいずれか１項に記載の付属部品取付構造。
【請求項７】
前記別の付属部品は、小型の前記バッテリである、請求項３から５のいずれか１項に記載の付属部品取付構造。
【発明の詳細な説明】
【技術分野】
【０００１】
本発明は、付属部品取付構造、特に、電動リールの付属部品を電動リールに取り付ける付属部品取付構造に関する。
【背景技術】
【０００２】
一般に、釣り用リールは、リール本体と、リール本体に装着されたスプールと、スプールを回転させるハンドルと、リール本体の上部に装着されるカウンタケースと、カウンタケースの上面に設けられ水深表示用の表示部を有する表示装置とを備えている。表示部は、たとえば液晶ディスプレイであり、棚位置や現在の仕掛けの水深等のリールに関する情報を表示することができる。
【０００３】
この種の表示装置を有する釣り用リールでは、カウンタケースの表示部にはリールに関する情報が表示される。しかし、近年、リールに関する情報が増加し、表示部に全ての情報を表示することが困難になりつつある。そこで、リールに関する情報を表示可能な表示部を有する表示装置をリールの外部に設け、釣り船の船縁に着脱自在に装着したものが知られている（たとえば、特許文献１参照）。この表示装置は、リールに関する情報を表示させるだけでなく、魚群探知機や全地球測位システム（ＧＰＳ）等からの釣りに関する情報を表示させることができる。また、このような表示装置では、表示装置の下部に蛇腹状の支持部を装着し、支持部を竿支持具に装着することによって、表示装置を竿支持具に取り付け固定されたものが知られている（たとえば、特許文献２参照）。
【先行技術文献】
【特許文献】
【０００４】
【特許文献１】特許第４２２１２８１号公報
【特許文献２】特開２００２−２７８７８号公報
【発明の概要】
【発明が解決しようとする課題】
【０００５】
前記従来の表示装置では、表示装置は竿支持具に取り付け固定されているので、たとえば、釣竿を竿支持具から取り外して釣り動作を行うときには、表示装置が竿支持具に残ってしまう。このように表示装置が竿支持具に残った状態で釣人が表示装置を確認するには、釣人は竿支持具から大きく離れることができなくなり、釣り動作を阻害するおそれが生じる。
【０００６】
本発明の課題は、付属部品取付構造において、釣り動作を阻害することなく付属部品を電動リールに取り付けできるようにすることにある。
【課題を解決するための手段】
【０００７】
発明１に係る付属部品取付構造は、電動リールの付属部品を電動リールに取り付ける付属部品取付構造であって、コードコネクタと、リールコネクタと、固定部とを備えている。コードコネクタは、一端がバッテリに接続されるコードの他端に設けられている。リールコネクタは、電動リールに設けられ、コードコネクタが着脱可能に接続されている。固定部は、本体部と、挟持部と、付属部品固定部とを有している。挟持部は、本体部に設けられ、コードコネクタとリールコネクタとの間に挿通され、コードコネクタをリールコネクタに接続したときに挟持されている。付属部品固定部は、本体部に設けられ、付属部品が固定されている。
【０００８】
この付属部品取付構造では、挟持部をコードコネクタとリールコネクタとで挟持することによって、付属部品を電動リールに取り付けている。ここでは、たとえば、付属部品が表示装置である場合、釣竿を竿支持具から取り外して釣り動作を行うときでも、表示装置が電動リールに固定されるので、表示装置を即座に確認できるとともに、釣人は竿支持具から離れて釣り動作を行うことができる。したがって、挟持部をコードコネクタとリールコネクタとで挟持することによって、釣り動作を阻害することなく付属部品を電動リールに取り付けることができる。
【０００９】
発明２に係る付属部品取付構造は、発明１の付属部品取付構造において、本体部は、板状部材により形成されている。挟持部は、本体部を貫通する貫通孔である。この場合、簡素な構成で挟持部を形成できる。
【００１０】
発明３に係る付属部品取付構造は、発明１又は２の付属部品取付構造において、固定部は、本体部に設けられ、１又は複数の別の付属部品が固定される１又は複数の別の付属部品固定部をさらに有している。この場合、たとえば、固定スペースの少ない小型の電動リールであっても、複数の付属部品を固定できる。
【００１１】
発明４に係る付属部品取付構造は、発明１から３のいずれかの付属部品取付構造において、付属部品は、釣りに関する情報を表示する表示装置である。この場合、表示装置が電動リールに固定されるので、表示装置を即座に確認できる。
【００１２】
発明５に係る付属部品取付構造は、発明１から３のいずれかの付属部品取付構造において、付属部品は、小型の前記バッテリである。この場合、小型のバッテリに接続されるコードのコードコネクタによって、小型のバッテリを電動リールに容易に固定できる。
【００１３】
発明６に係る付属部品取付構造は、発明３から５のいずれかの付属部品取付構造において、別の付属部品は、釣りに関する情報を表示する表示装置である。この場合、表示装置が電動リールに固定されるので、表示装置を即座に確認できる。
【００１４】
発明７に係る付属部品取付構造は、発明３から５のいずれかの付属部品取付構造において、別の付属部品は、小型の前記バッテリである。この場合、小型のバッテリに接続されるコードのコードコネクタによって、小型のバッテリを電動リールに容易に固定できる。
【発明の効果】
【００１５】
本発明によれば、付属部品取付構造において、挟持部をコードコネクタとリールコネクタとで挟持することによって、付属部品を電動リールに取り付けているので、釣り動作を阻害することなく付属部品を電動リールに取り付けることができる。
【図面の簡単な説明】
【００１６】
【図１】本発明の一実施形態を採用した電動リールの斜視図。
【図２】前記電動リールの左側面断面図。
【図３】前記電動リールの左側面図。
【図４】前記電動リールの平面図。
【図５】前記電動リールの正面図。
【図６】本発明の一実施形態を採用した表示装置の正面図。
【図７】本発明の一実施形態を採用したバッテリの斜視図。
【図８】前記表示装置と取付アダプタとの取り付け部分の拡大正面図。
【図９】前記電動リールのリールコネクタと、前記取付アダプタと、前記バッテリに接続されるコードのコードコネクタとの取り付け部分の拡大正面図。
【図１０】前記電動リールと前記表示装置及び魚群探知機との接続を示すブロック図。
【図１１】他の実施形態の図５に相当する図。
【図１２】他の実施形態の図８に相当する図。
【図１３】他の実施形態の図４に相当する図。
【図１４】本発明の他の実施形態を採用した小型バッテリの斜視図。
【図１５】本発明の他の実施形態を採用した電動リールの背面図。
【図１６】他の実施形態の図５に相当する図。
【図１７】他の実施形態の図５に相当する図。
【図１８】他の実施形態の図５に相当する図。
【図１９】他の実施形態の図５に相当する図。
【発明を実施するための形態】
【００１７】
本発明の一実施形態が採用された電動リール１００は、図１から図５に示すように、バッテリ８０（図７参照）から供給された電力により駆動されるとともに、手巻きリールとして使用するときの電源を内部に有する小型の電動リールである。また、電動リール１００は糸繰り出し長さ又は糸巻取長さに応じて仕掛けの水深を表示する水深表示機能を有するリールである。電動リール１００は、釣竿Ｒに装着可能なリール本体１と、リール本体１の側方に配置されたスプール１０の回転用のハンドル２と、ハンドル２のリール本体１側に配置されたドラグ調整用のスタードラグ３と、水深表示用のカウンタケース４とを備えている。
【００１８】
リール本体１は、図１から図５に示すように、左右１対の第１側板７ａ及び第２側板７ｂと、第１側板７ａ及び第２側板７ｂを下部及び前部で連結する第１連結部材７ｃ及び第２連結部材７ｄとからなるフレーム７と、フレーム７の左右を覆う左右の第１側カバー８ａ及び第２側カバー８ｂと、フレーム７の前部を覆う前カバー９とを有している。第２側カバー８ｂには、ハンドル２の回転軸が回転自在に支持されている。ハンドル２の支持部分の上方には、モータ１２を複数段階に制御するための速度調整レバー５が揺動自在に支持されている。第１側カバー８ａの前部底面には、下方に突出する膨出部８ｃが形成されており、膨出部８ｃの下面には、バッテリ８０に接続されたコード５０のコードコネクタ５４が下方から接続可能なリールコネクタ１９が形成されている。また、バッテリ８０が接続されるコード５０のコードコネクタ５４と、電動リール１００のリールコネクタ１９との間には、釣りに関する情報を表示する釣り情報表示装置６０（付属部品の一例）を取り付けるための後述する取付アダプタ７０（固定部の一例）が取り付けられている。
【００１９】
また、リール本体１の下部の第１連結部材７ｃには、釣竿Ｒに装着するための竿取付脚部１４が一体形成されている。リール本体１の前部の第２連結部材７ｄは、スプール１０の前方に筒状に形成されており、内部にスプール１０を駆動するモータ１２が固定されている。前カバー９には、釣り糸通過用の横長の開口部９ａが形成されている。リール本体１の内部には、モータ１２及びハンドル２に連結されたスプール１０が回転自在に支持されている。また、リール本体１の後部には、ハンドル２及びモータ１２とスプール１０との駆動伝達をオン、オフする図示しないクラッチ操作部材１１が配置されている。このクラッチ操作部材１１をオン操作すると、仕掛けの自重による糸繰り出し中に、糸繰り出し動作を停止できる。
【００２０】
また、リール本体１の内部には、図２に示すように、スプール１０に連動して動作するレベルワインド機構１３やハンドル２の回転をスプール１０に伝達する図示しない伝達機構等が設けられている。レベルワインド機構１３は、スプール１０と連動して釣り糸をスプール１０に均一に巻き取るために設けられている。リール本体１の第１側板７ａ及び第２側板７ｂの上部に、図１及び図２に示すように、釣り糸の先に装着された仕掛けの水深を表示するカウンタケース４が固定されている。カウンタケース４には、上面に配置された液晶ディスプレイ（ＬＣＤ）からなる表示部６と、表示部６の後方に左右方向に並べて配置された２つの第１スイッチＳＷ１及び第２スイッチＳＷ２とが装着されている。第１スイッチＳＷ１は、たとえば、０セット用のスイッチであり、第２スイッチＳＷ２は、たとえば、棚メモ等のメモリ用のスイッチである。
【００２１】
カウンタケース４内の上部には、図１０に示すように、表示部６と、表示制御及びモータ御を行う制御部３０とが配置されている。カウンタケース４内の下部にはモータ１２をＰＷＭ駆動するＰＷＭ駆動回路３１が配置されている。またカウンタケース４内の下部には、ブザー４０とスプールセンサ４１とが配置されている。
【００２２】
制御部３０は、カウンタケース４内に配置されたＣＰＵ、ＲＡＭ、ＲＯＭ、Ｉ／Ｏインターフェイス等を含むマイクロコンピュータを含んでいる。制御部３０は、制御プログラムに従って表示部６の表示制御やモータ駆動制御等の各種の制御動作を実行する。制御部３０には、図１０に示すように、第１スイッチＳＷ１及び第２スイッチＳＷ２の各種のスイッチと、スプール１０の回転方向及び回転数（回転位置データ）を検出するためのスプールセンサ４１及びスプールカウンタ４２と、速度調整レバー５とが接続されている。また、制御部３０には、ブザー４０と、ＰＷＭ駆動回路３１と、表示部６と、記憶部４３と、通信部４４と、他の入出力部とが接続されている。
【００２３】
ＰＷＭ駆動回路３１は、モータ１２を駆動するための駆動素子としてのＦＥＴを含んでいる。ＰＷＭ駆動回路３１は、制御部３０によりデューティ比が制御されてモータ１２を速度又は張力可変に駆動する。
【００２４】
スプールセンサ４１は、前後に並べて配置された２つのリードスイッチから構成されている。リードスイッチは、スプール１０に連動して回転する磁石ホイールに装着された２個の磁石を検出する。この検出パルスをスプールカウンタ４２で計数することでリールの回転数を検出できる。また、いずれのリードスイッチが先に検出パルスを発したかによりスプール１０の回転方向を検出できる。
【００２５】
スプールカウンタ４２は、スプールセンサ４１のオンオフ回数を計数するカウンタであり、この計数値によりスプール回転数に関する回転位置データやスプール回転速度が得られる。スプールカウンタ４２は、スプール１０が正転（糸繰り出し方向の回転）すると計数値が減少し、逆転すると増加する。
【００２６】
記憶部４３は、たとえばＥＥＰＲＯＭ等の不揮発メモリからなり、学習結果のデータや糸長算出時に使用する各種のデータ等が記憶されている。
【００２７】
通信部４４は、電動リール１００の外部に設けられた釣り情報表示装置６０の後述する通信部６５（図１０参照）と各種の情報を送受信可能である。
【００２８】
釣り情報表示装置６０は、図１から図６に示すように、外部の電動リール１００（図１から図５参照）や魚群探知機９０（図１０参照）から送信されたリールに関する各種の情報を表示するための比較的小型の表示装置である。釣り情報表示装置６０は、図６に示すように、本体部６４と、本体部６４に装着され各種の情報を表示可能な表示部６３と、表示部６３の下側に配置され各種の操作を行う操作部６２と、本体部６４の内部に配置され各種のデータを記憶する記憶部６６（図１０参照）と、本体部６４の下部に形成され取付アダプタ７０の連結部７０ｃの雄ねじ部である連結部７０ｃが螺合可能な雌ねじ部６７（図８参照）とを有している。
【００２９】
釣り情報表示装置６０の内部には、図１０に示すように、表示制御等を行うＣＰＵ、ＲＡＭ、ＲＯＭ、Ｉ／Ｏインターフェイス等を含むマイクロコンピュータからなる制御部６１を有している。制御部６１には、通信部６５、操作部６２の各種キー、各種の表示を行うための表示部６３、各種のデータを記憶する記憶部６６が接続されている。記憶部６６には、たとえば複数の誘いデータ等の各種のデータが保持され、これらのデータを元に釣人が釣り情報表示装置６０の操作部６２を操作することにより、通信部６５、通信部４４、制御部３０を介してリールの制御である棚停止機能、誘い機能や自動しゃくり機能等の制御を行うことができる。
【００３０】
操作部６２は、表示部６３の表示制御等の各種の制御を行うスイッチである。操作部６２は、表示部６３の下側に４個のボタンが横方向に並べて配置されており、左側から右側に向かって、「決定」、「キャンセル（戻る）」、「上」、「下」の機能を有するスイッチである。これらの操作部６２を操作することによって、各種の設定が行われる。操作部６２は、釣り情報表示装置６０側の制御だけでなく、電動リール１００側の制御を行うことができる。たとえば操作部６２の操作により、棚停止等の制御を行ったり、モータ１２の回転制御等を行うことができる。
【００３１】
表示部６３は、ドットマトリックス方式の液晶ディスプレイであって、たとえばカラーＴＦＴ方式の液晶ディスプレイである。表示部６３は、電動リール１００の表示部６で表示可能な水深情報と、表示部６で表示可能な水深情報以外のリールに関する情報の他部分の情報との両方の情報が表示可能である。表示部６３は、水深表示モードのときは、図３に示すように、左側に配置された３桁のドット数字表示の水深表示領域と、その下方に配置されたドット数字表示の気圧表示領域と、気圧表示領域の下側に配置された仕掛回収表示領域とを有している。また、表示部６３は、メニュー表示モードのときは、図４に示すように、「ＸＸＸ（釣り情報表示装置６０の機種名）」、「カメラ」、「設定」、「ヘルプ」の４つのメニューアイコンをドット表示可能である。また、表示部６３は、情報モードのときは、ヘルプ表示や、誘いデータに関する設定や、各種の設定を行うためのオプション情報が表示可能である。このオプション情報表示画面では、水深情報以外の付加的な情報を表示したり、各種の設定を行うことができる。
【００３２】
通信部６５は、図１０に示すように、電動リール１００に設けられた通信部４４及び魚群探知機９０の通信部と無線通信可能である。また、釣り情報表示装置６０と図示しない外部電源とは、鰐口式のコードにより連結され、これにより電力が供給されている。
【００３３】
本体部６４は、図６に示すように、各種の電気部品が収納される図６裏側の合成樹脂製のケース部材と、表示部６３が設けられる図３表側の合成樹脂製のケース部材とを有する縦長小型のボックス形状のケース部材である。本体部６４は、表示部６３側の表側ケースと逆側の裏側ケースとにより構成されており、内部に図示しない防水部材が介装されることによって、本体部６４の内部に浸水するのを防止できる。
【００３４】
バッテリ８０は、図７に示すように、コード５０を介して電動リール１００に電気的に接続され、船縁の近傍に載置可能な比較的小型かつ軽量の充電を繰り返し行うことができるリチウムイオンバッテリである。バッテリ８０は、図７に示すように、上面視長円形の略直方体形状に形成され、側部中央が凹んだ湾曲形状になっている。バッテリ８０の側部は、合成樹脂製の部材で覆われており、バッテリ８０の上部両端には、コード５０の基端部に接続される略Ｌ字状の第１端子部８１及び第２端子部８２が設けられている。第１端子部８１及び第２端子部８２には、図７に示すように、コード５０の基端部に設けられた第１鰐口クリップ５１及び第２鰐口クリップ５２を挟み込むことにより、バッテリ８０とコード５０とが電気的に接続されている。
【００３５】
コード５０は、図７に示すように、バッテリ８０に接続される第１鰐口クリップ５１及び第２鰐口クリップ５２と、２方向に分岐した基端部に第１鰐口クリップ５１及び第２鰐口クリップ５２が設けられたコード本体５３と、コード本体５３の先端部に設けられ電動リール１００のリールコネクタ１９に接続されるコードコネクタ５４とを有している。コードコネクタ５４は、図９に示すように、電動リール１００のリールコネクタ１９に着脱可能に接続されるコネクタである。コードコネクタ５４は、リールコネクタ１９の先端（図９下側）に形成された２つの端子ピン１９ａに装着可能な２つの端子孔５４ａと、端子孔５４ａの周囲の内周側に形成されリールコネクタ１９の先端（図９下側）の外周側に形成された雄ねじ部１９ｂに螺合可能な雌ねじ部５４ｂが形成されている。ここでは、コードコネクタ５４の端子孔５４ａをリールコネクタ１９の端子ピン１９ａに装着し、コードコネクタ５４の雌ねじ部５４ｂをリールコネクタ１９の雄ねじ部１９ｂに螺合させることによって、コードコネクタ５４がリールコネクタ１９に接続される。ここでは、コード５０の第１鰐口クリップ５１及び第２鰐口クリップ５２をバッテリ８０に接続し、コード５０のコードコネクタ５４を電動リール１００のリールコネクタ１９に接続することによって、バッテリ８０の電力が電動リール１００に供給される。
【００３６】
また、前述したように、バッテリ８０が接続されるコード５０のコードコネクタ５４と、電動リール１００のリールコネクタ１９との間には、釣りに関する情報を表示する釣り情報表示装置６０を取り付けるための取付アダプタ７０が取り付けられている。
【００３７】
取付アダプタ７０は、図３から図６、図８及び図９に示すように、釣りに関する情報を表示する釣り情報表示装置６０を電動リール１００に取り付けるためのアダプタであって、先端が釣り情報表示装置６０に固定され、基端がコード５０のコードコネクタ５４と電動リール１００のリールコネクタ１９との間に固定されている。
【００３８】
取付アダプタ７０は、図３、図４、図８及び図９に示すように、板状の本体部７０ａと、本体部７０ａに形成されコードコネクタ５４とリールコネクタ１９との間に挿通されコードコネクタ５４をリールコネクタ１９に接続したときに挟持される挟持部７０ｂと、基端に形成され本体部７０ａに固定される本体部固定部７０ｄと先端に形成され釣り情報表示装置６０が固定される表示装置固定部７０ｅとを有する連結部７０ｃと、を有している。
【００３９】
本体部７０ａは、図３から図６及び図９に示すように、外形が矩形の金属製の板状部材である。本体部７０ａの基端側（図９右側）には、本体部７０ａを貫通する貫通孔である挟持部７０ｂが形成され、本体部７０ａの先端側（図９左側）には、連結部７０ｃの本体部固定部７０ｄが貫通する貫通孔７０ｆが形成されており、本体部７０ａは、図４に示すように、横長の矩形部材である。
【００４０】
挟持部７０ｂは、図４及び図９に示すように、本体部７０ａを貫通する貫通孔であって、リールコネクタ１９の雄ねじ部１９ｂの最大外径よりやや大径かつコード５０の雌ねじ部５４ｂが形成された部分の外径より小径になるように形成されている。このため、挟持部７０ｂは、図３、図５及び図９に示すように、リールコネクタ１９の外周側に挿通可能であり、コードコネクタ５４をリールコネクタ１９に接続したときにコードコネクタ５４と電動リール１００とで挟持されるようになっている。
【００４１】
連結部７０ｃは、図３から図５に示すように、釣り情報表示装置６０の位置を変更可能に変形するフレキシブルワイヤ等の金属製の可撓部材により形成されている。連結部７０ｃは、図３に示すように、本体部７０ａと別体で形成された棒状の部材であって、先端が電動リール１００のカウンタケース４の側部に位置するように延びている。連結部７０ｃは、図３に示すように、基端に形成され本体部７０ａに固定される本体部固定部７０ｄと、先端に形成され釣り情報表示装置６０が固定される表示装置固定部７０ｅとを有している。
【００４２】
本体部固定部７０ｄは、図３から図５及び図９に示すように、本体部７０ａに形成された貫通孔７０ｆを貫通し、先端部に形成された雄ねじ部に、本体部７０ａの下側から取り付けられた袋ナット７５の雌ねじ部７５ａを螺合させることによって、連結部７０ｃを本体部７０ａに着脱可能に装着固定されている。
【００４３】
表示装置固定部７０ｅは、図８に示すように、釣り情報表示装置６０の本体部６４の下部に形成された雌ねじ部６７に螺合可能な雄ねじ部である。ここでは、釣り情報表示装置６０の雌ねじ部６７を連結部７０ｃの表示装置固定部７０ｅ（雄ねじ部）に螺合することによって、釣り情報表示装置６０を連結部７０ｃに着脱可能に装着固定している。
【００４４】
釣り情報表示装置６０を電動リール１００に取り付けるには、まず、取付アダプタ７０の挟持部７０ｂをリールコネクタ１９の外周側に挿通し、コードコネクタ５４をリールコネクタ１９に接続することによって、挟持部７０ｂをコードコネクタ５４と電動リール１００とで挟持する。そして、連結部７０ｃの本体部固定部７０ｄを貫通孔７０ｆを貫通させ、連結部７０ｃの先端部に形成された雄ねじ部に、本体部７０ａの下側から取り付けられた袋ナット７５の雌ねじ部７５ａを螺合させることによって、連結部７０ｃを本体部７０ａに装着固定する。そして、釣り情報表示装置６０の雌ねじ部６７を連結部７０ｃの表示装置固定部７０ｅ（雄ねじ部）に螺合し、釣り情報表示装置６０を連結部７０ｃに装着固定することによって、釣り情報表示装置６０が電動リール１００に取り付けられる。このとき、釣り情報表示装置６０は、視認性の良好な電動リール１００の側部上方に位置するように配置されるが、可動性を有する連結部７０ｃを捻る（変形させる）ことによって釣り情報表示装置６０の表示部６の向きを釣人に合わせて任意に変更できる。
【００４５】
ここでは、挟持部７０ｂをコードコネクタ５４とリールコネクタ１９とで挟持することによって、釣り情報表示装置６０を電動リール１００に取り付けている。ここでは、釣竿Ｒを竿支持具から取り外して釣り動作を行うときでも、釣り情報表示装置６０が電動リール１００に固定されるので、釣り情報表示装置６０を即座に確認できるとともに、釣人は竿支持具から離れて釣り動作を行うことができる。したがって、挟持部７０ｂをコードコネクタ５４とリールコネクタ１９とで挟持することによって、釣り動作を阻害することなく釣り情報表示装置６０を電動リール１００に取り付けることができる。
【００４６】
〔他の実施形態〕
（ａ）  前記実施形態では、小型の電動リールを例にあげて説明したが、電動リールの大きさや形状はこれに限定されるものではない。
【００４７】
（ｂ）  前記実施形態では、取付アダプタ７０は、本体部固定部７０ｄと表示装置固定部７０ｅとを有する連結部７０ｃを有していたが、図１１及び図１２に示すように、連結部７０ｃを設けないで、ボルト７６によって釣り情報表示装置６０を直接取付アダプタ７０に装着固定するようにしてもよい。具体的には、釣り情報表示装置６０の本体部６４の下面を本体部７０ａの上面に載置し、本体部７０ａの下側から取り付けられたボルト７６の雄ねじ部７６ａを本体部７０ａに形成された貫通孔７０ｆを貫通し、釣り情報表示装置６０の本体部６４の下部に形成された雌ねじ部６７にボルト７６の雄ねじ部７６ａを螺合させることによって、釣り情報表示装置６０を取付アダプタ７０の本体部７０ａに着脱可能に装着固定してもよい。
【００４８】
（ｃ）  前記実施形態では、取付アダプタ７０の本体部７０ａは、横長の矩形部材であったが、図１３に示すように、縦長の矩形部材であってもよい。ここでは、本体部７０ａの基端側（図１３下側）には、本体部７０ａを貫通する貫通孔である挟持部７０ｂが形成され、本体部７０ａの先端側（図９上側）には、連結部７０ｃの本体部固定部７０ｄが貫通する貫通孔７０ｆが形成されている。
【００４９】
（ｄ）  前記実施形態では、付属部品の一例として釣り情報表示装置６０を例にあげて説明したが、付属部品はこれに限定されるものではなく、図１４及び図１６に示すように、付属部品は小型バッテリ２０であってもよい。
【００５０】
具体的には、リール本体１の第１側カバー８ａの前部底面には、図１５に示すように、取付アダプタ７０の本体部７０ａが配置され、取付アダプタ７０の本体部７０ａの底面には、第１取付部７７が設けられ、小型バッテリ２０のバッテリ本体２１には、図１４に示すように、第２取付部２４が設けられており、取付アダプタ７０の第１取付部７７に第２取付部２４を取り付けることによって、小型バッテリ２０はリール本体１の第１側カバー８ａの底部に着脱自在に装着されている。
【００５１】
小型バッテリ２０は、図１４に示すように、電動リールに電力を供給するための繰り返し充電可能なボトル形状の蓄電池であって、内部にリチウムイオンポリマー素子を備えたボトル形状のバッテリ本体２１と、バッテリ本体２１の先端部から一体的に延びるバッテリコード２２と、バッテリコード２２の先端部に設けられ電動リールのリールコネクタ１９に接続されるコードコネクタ２３とを有している。バッテリ本体２１の外側面には、第２取付部２４が着脱可能に別体で形成されている。第２取付部２４は、表面が電動リール１００の第１取付部７７に着脱可能に係止される面ファスナであって、裏面がバッテリ本体２１の外側面に接着固定されている。一方、取付アダプタ７０の第１取付部７７は、図１５に示すように、表面が小型バッテリ２０の第２取付部２４に着脱可能に係止される面ファスナであって、裏面が取付アダプタ７０の本体部７０ａの底面に別体で接着固定されている。小型バッテリ２０は、図１６に示すように、リール本体１の第１側カバー８ａの底部に横向き（バッテリ本体２１の長手方向がリール本体１の前後方向となる向き）にコードコネクタ２３が後方に位置するように着脱自在に装着されている。
【００５２】
また、コードコネクタ２３は、バッテリコード２２の先端部に設けられ、電動リール１００のリールコネクタ１９に接続される。このとき、小型バッテリ２０のコードコネクタ２３と、電動リール１００のリールコネクタ１９との間には、小型バッテリ２０を取り付けるための取付アダプタ７０が取り付けられている。ここでは、取付アダプタ７０の挟持部７０ｂをコードコネクタ２３とリールコネクタ１９とで挟持することによって、小型バッテリ２０を電動リール１００に取り付けることができる。
【００５３】
さらに、ここでは、従来の接続コネクタがバッテリ本体に設けられた小型バッテリを直接リールコネクタ１９のみで支持する場合に比して、小型バッテリ２０の重心位置をずらすことが可能になり、より安定する位置や、リールコネクタ１９に過剰な負荷がかからない位置に小型バッテリ２０を配置することも可能になる。
【００５４】
（ｅ）  前記他の実施形態（ｄ）では、小型バッテリ２０は取付アダプタ７０の裏面（図１６下側面）に取り付けられていたが、図１７に示すように、小型バッテリ２０を取付アダプタ７０の表面（図１７上側面）に取り付けてもよい。
【００５５】
（ｆ）  前記実施形態、前記他の実施形態（ｄ）及び前記他の実施形態（ｅ）では、取付アダプタ７０に１つの釣り情報表示装置６０及び１つの小型バッテリ２０を取り付けていたが、これに限定されるものではなく、複数の付属部品を取付アダプタ７０に取り付けてもよい。図１８に示すように、１つの釣り情報表示装置６０及び１つの小型バッテリ２０の２つの付属部品を取付アダプタ７０に取り付けてもよいし、図１９に示すように、２つの小型バッテリ２０を取付アダプタ７０に取り付けてもよいし、図示しないが、３つ以上の付属部品を取付アダプタ７０に取り付ける構成にしてもよい。
【符号の説明】
【００５６】
１  リール本体
２  ハンドル
３  スタードラグ
４  カウンタケース
５  速度調整レバー
６  表示部
７  フレーム
７ａ  第１側板
７ｂ  第２側板
７ｃ  第１連結部材
７ｄ  第２連結部材
８ａ  第１側カバー
８ｂ  第２側カバー
８ｃ  膨出部
９  前カバー
９ａ  開口部
１０  スプール
１１  クラッチ操作部材
１２  モータ
１３  レベルワインド機構
１４  竿取付脚部
１９  リールコネクタ
１９ａ  端子ピン
１９ｂ  雄ねじ部
２０  小型バッテリ
２１  バッテリ本体
２２  バッテリコード
２３  コードコネクタ
２４  第２取付部
３０  制御部
３１  ＰＷＭ駆動回路
４０  ブザー
４１  スプールセンサ
４２  スプールカウンタ
４３  記憶部
４４  通信部
５０  コード
５１  第１鰐口クリップ
５２  第２鰐口クリップ
５３  コード本体
５４  コードコネクタ
５４ａ  端子孔
５４ｂ  雌ねじ部
６０  釣り情報表示装置
６１  制御部
６２  操作部
６３  表示部
６４  本体部
６５  通信部
６６  記憶部
６７  雌ねじ部
７０  取付アダプタ
７０ａ  本体部
７０ｂ  挟持部
７０ｃ  連結部
７０ｄ  本体部固定部
７０ｅ  表示装置固定部
７０ｆ  貫通孔
７５  袋ナット
７６  ボルト
７６ａ  雄ねじ部
７７  第１取付部
７５ａ  雌ねじ部
８０  バッテリ
８１  第１端子部
８２  第２端子部
９０  魚群探知機
１００  電動リール
Ｒ  釣竿
ＳＷ１  第１スイッチ
ＳＷ２  第２スイッチ
【図１】
2012231692.tif 000003
【図２】
2012231692.tif 000004
【図３】
2012231692.tif 000005
【図４】
2012231692.tif 000006
【図５】
2012231692.tif 000007
【図６】
2012231692.tif 000008
【図７】
2012231692.tif 000009
【図８】
2012231692.tif 000010
【図９】
2012231692.tif 000011
【図１０】
2012231692.tif 000012
【図１１】
2012231692.tif 000013
【図１２】
2012231692.tif 000014
【図１３】
2012231692.tif 000015
【図１４】
2012231692.tif 000016
【図１５】
2012231692.tif 000017
【図１６】
2012231692.tif 000018
【図１７】
2012231692.tif 000019
【図１８】
2012231692.tif 000020
【図１９】
2012231692.tif 000021